(57)【要約】【課題】インターネットファクシミリ装置から送信する前に、事前にネットワークが正常なのか、異常なのかを把握する。【解決手段】ＬＡＮ外のある通信装置に対してｐｉｎｇコマンドを実行し、その返答が所定時間内になかった場合は、登録されている次の通信装置に対してｐｉｎｇコマンドの実行を行ない、前記登録されている通信装置の何れかから前記所定時間内に返答があった場合は、前記ＬＡＮ外の通信装置へのファクシミリ通信は正常と判断し、登録されている通信装置の何れからも所定時間内に返答がなかった場合は、ＬＡＮ外の通信装置へのファクシミリ通信は異常であると判断する。【選択図】　　　　図１
2004104308.tif 000002
【特許請求の範囲】
【請求項１】
ＬＡＮに接続され、当該ＬＡＮ内の他の通信装置または前記ＬＡＮ外の他の通信装置と画情報の送受信を行なうインターネットファクシミリ装置において、
前記ＬＡＮ外の１つないし複数の前記他の通信装置の装置特定情報を登録するＬＡＮ外装置特定情報手段と、
前記装置特定情報手段により登録された前記ＬＡＮ外の通信装置に対して端末監視用コマンドを実行する端末監視用コマンド実行手段と、
前記端末監視用コマンド実行手段により端末監視用コマンドを実行した場合において、その返答があったか否かを判定する返答端末監視用コマンド検出手段と、
前記ＬＡＮ外へのファクシミリ通信が即時実行可能か否かの表示を行うファクシミリ送信可能表示手段と、
前記端末監視用コマンド実行手段が前記登録されたＬＡＮ外の通信装置に対して端末監視用コマンドを実行した場合に、その返答が所定時間内になかった場合は、前記端末監視用コマンド実行手段に前記登録されている次の通信装置に対して前記端末監視用コマンドの実行を行なわせ、前記登録されている通信装置の何れかから前記所定時間内に返答があった場合は、前記ＬＡＮ外の通信装置へのファクシミリ通信は正常と判断し、前記ファクシミリ送信可能表示手段にファクシミリ通信が即時実行可能である旨の表示を行なわせ、前記登録されている通信装置の何れからも前記所定時間内に返答がなかった場合は、前記ＬＡＮ外の通信装置へのファクシミリ通信は異常であると判断し、前記ファクシミリ送信可能表示手段にネットワークが異常である旨を表示させる制御手段と、
を備えたことを特徴とする、インターネットファクシミリ装置。
【請求項２】
前記端末監視用コマンドはｐｉｎｇコマンドであることを特徴とする請求項１に記載のインターネットファクシミリ装置。
【請求項３】
前記制御手段は、前記端末監視用コマンド実行手段に、前記登録されたＬＡＮ外の通信装置に対する端末監視用コマンドを定期的に実行させることを特徴とする請求項１または２に記載のインターネットファクシミリ装置。
【請求項４】
前記制御手段は、インターネット経由のファクシミリ送信に際して、送信に先立って前記端末監視用コマンド実行手段に前記端末監視用コマンドを実行させ、ファクシミリ通信が正常であるときは、インターネット経由のファクシミリ送信を実行することを特徴とする請求項１から３の何れかに記載のインターネットファクシミリ装置。
【請求項５】
前記制御手段は、インターネット経由のファクシミリ送信に際して、送信に先立って、前記端末監視用コマンド実行手段にファクシミリ送信先に対する前記端末監視用コマンドを実行させ、ファクシミリ通信が正常と判断されたときは、インターネット経由のファクシミリ送信を実行することを特徴とする請求項１から３の何れかに記載のインターネットファクシミリ装置。
【発明の詳細な説明】
【０００１】
【発明の属する技術分野】
本発明は、インターネットファクシミリ装置からインターネット経由のファクシミリ送信を行う前に、予めにネットワークが正常なのか、異常なのかの把握が可能なインターネットファクシミリ装置に関する。
【０００２】
【従来の技術】
従来、スケジュール機能に基づく判定を行うことにより、夜間・休日等に停止するシステムについても適正な監視を行なうことができる技術が知られている（特許第３０８８６３６号参照）。この技術では、予めＬＡＮが稼働するスケジュール情報を記憶装置に記憶しておき、ＬＡＮに接続されたＬＡＮ監視装置から監視対象の端末機器に対して定期的に端末監視用コマンドを発行して当該端末機器が動作状態にあるか否かをチェックする。これとともに、スケジュール情報に基づき、現時点において監視対象の各端末機器が動作状態にあるべきか否かをチェックする。そして、両チェック結果に基づいて、端末機器が動作状態にあるべきときに動作状態にないと判定された場合に上位装置に対してエラー報告を行い、当該端末機器が動作状態にあるべきとき以外の時点で動作状態にないと判定された場合にはエラー報告を行わない。
【０００３】
【発明が解決しようとする課題】
ところで、従来では１つのＬＡＮ内で端末監視用コマンドを実行し、端末監視用コマンドの返答があったかどうかを判断して、その端末が動作状態にあるかどうかをチェックしている。
【０００４】
この場合の監視は１つのＬＡＮ内でのみ行なわれており、ＬＡＮ外に対して通信状態が可能かどうかをチェックするものではなかった。また、ＬＡＮが正常か否か、およびインターネットまでのネットワークが正常か否かをチェックするために、ネットワーク管理者等がｐｉｎｇコマンド等を使用して、ＰＣ等から実行することはあったが、ファクシミリ装置そのものが、自動的にｐｉｎｇコマンドを実行して、ネットワークの状態を監視してはいない。
【０００５】
したがって、ハブやルーター、ゲートウェイ等が故障していた場合、インターネットファクシミリ装置から送信しようとした場合に始めてネットワークエラーに気付くため、原稿を読み込ませて、送信を行なうまでの操作が無駄となってしまう。
【０００６】
本発明の目的は、インターネットファクシミリ装置から送信する前に、事前にネットワークが正常なのか、異常なのかを把握できるようにし、原稿を読み込ませて、送信操作をして始めてネットワークエラーだとわかるまでの無駄な時間を無くすことにある。
【０００７】
【課題を解決するための手段】
本発明のインターネットファクシミリ装置は、ＬＡＮに接続され、当該ＬＡＮ内の他の通信装置または前記ＬＡＮ外の他の通信装置と画情報の送受信を行なうインターネットファクシミリ装置において、前記ＬＡＮ外の１つないし複数の前記他の通信装置の装置特定情報を登録するＬＡＮ外装置特定情報手段と、前記装置特定情報手段により登録された前記ＬＡＮ外の通信装置に対してｐｉｎｇコマンド等の端末監視用コマンドを実行する端末監視用コマンド実行手段と、前記端末監視用コマンド実行手段により端末監視用コマンドを実行した場合において、その返答があったか否かを判定する返答端末監視用コマンド検出手段と、前記ＬＡＮ外へのファクシミリ通信が即時実行可能か否かの表示を行うファクシミリ送信可能表示手段と、前記端末監視用コマンド実行手段が前記登録されたＬＡＮ外の通信装置に対して端末監視用コマンドを実行した場合に、その返答が所定時間内になかった場合は、前記端末監視用コマンド実行手段に前記登録されている次の通信装置に対して前記端末監視用コマンドの実行を行なわせ、前記登録されている通信装置の何れかから前記所定時間内に返答があった場合は、前記ＬＡＮ外の通信装置へのファクシミリ通信は正常と判断し、前記ファクシミリ送信可能表示手段にファクシミリ通信が即時実行可能である旨の表示を行なわせ、前記登録されている通信装置の何れからも前記所定時間内に返答がなかった場合は、前記ＬＡＮ外の通信装置へのファクシミリ通信は異常であると判断し、前記ファクシミリ送信可能表示手段にネットワークが異常である旨を表示させる制御手段とを備えたことを特徴とする。
【０００８】
本発明のインターネットファクシミリ装置では、前記制御手段は、前記端末監視用コマンド実行手段に、前記登録されたＬＡＮ外の通信装置に対する端末監視用コマンドを定期的に実行させることができる。
【０００９】
また、前記制御手段は、インターネット経由のファクシミリ送信に際して、送信に先立って前記端末監視用コマンド実行手段に前記端末監視用コマンドを実行させ、ファクシミリ通信が正常であるときは、インターネット経由のファクシミリ送信を実行することができる。
【００１０】
さらに、前記制御手段は、インターネット経由のファクシミリ送信に際して、送信に先立って、前記端末監視用コマンド実行手段にファクシミリ送信先に対する前記端末監視用コマンドを実行させ、ファクシミリ通信が正常と判断されたときは、インターネット経由のファクシミリ送信を実行することができる。
【００１１】
本発明のインターネットファクシミリ装置では、前記ＬＡＮ外の他の通信装置として、特定のシステムダウンが生じないサーバを提供することにより、ネットワークの状態や、ハブ、ルータ、ゲートウェイ等の機器状態が正常であるか否かを的確に監視できる。これにより、インターネットファクシミリ装置の普及が促進される。
【００１２】
【発明の実施の形態】
図１は本発明を実施するためのネットワークシステム構成図である。
図１では、インターネット２００に４つのＬＡＮ＿Ａ，ＬＡＮ＿Ｂ，ＬＡＮ＿Ｃ，ＬＡＮ＿Ｄが接続されている。
【００１３】
図１では、ＬＡＮ＿Ａ，ＬＡＮ＿Ｂ，ＬＡＮ＿Ｃ，ＬＡＮ＿Ｄは、それぞれ、事業所Ａ，Ｂ、サーバＣ，Ｄ内に構築されている。なお、ここではサーバは、たとえばインターネット上の商用ＶＡＮ等のサーバであってもよい。
【００１４】
符号Ｘは、事業所に応じた符号Ａ，Ｂ、サーバに応じた符号Ｃ，Ｄであるとすると、ＬＡＮ＿Ｘは、ワークステーション（ＷＳ）Ｘ０１、パーソナルコンピュータ（ＰＣ）Ｘ０２、メールサーバＸ０３、ルータＸ０５からなる。
【００１５】
また、ＬＡＮ＿Ａ，ＬＡＮ＿Ｂには、インターネットファクシミリ端末Ｘ０４が設けられている（ＸはＡ，Ｂ）。
【００１６】
本実施形態では、事業所Ａと事業所ＢにおけるＬＡＮの構成は同じである。したがって、事業所ＡのＬＡＮ＿Ａについての動作を以下に説明する。
メールサーバＡ０３は、ＬＡＮ＿Ａが受信した電子メールを一時蓄積することができ、電子メールの送受信を管理することができる。ワークステーションＡ０１，パーソナルコンピュータＡ０２はメールサーバＡ０３にアクセスして、自己宛の電子メールをダウンロードすることができる。
【００１７】
インターネットファクシミリ端末Ａ０４は、ＬＡＮ＿Ａ内の他の機器（ワークステーションＡ０１，パーソナルコンピュータＡ０２）やインターネット２００に接続され他の通信装置と画情報通信を行う機能を備えるとともに、公衆網（ＰＳＴＮ回線やＩＳＤＮ回線）を介しファクシミリ通信を行う機能を備えている。
【００１８】
また、インターネットファクシミリ端末Ａ０４は、ルータＡ０５、インターネット２００を経由して、他の通信装置（たとえば、他の事業所Ｘのインターネットファクシミリ端末Ｘ０４，ワークステーションＸ０１，パーソナルコンピュータＸ０２）と電子メールに添付した画像をやりとりすることができる。すなわち、インターネットファクシミリ端末Ａ０４は、リアルタイムファックス機能を利用して、ルータＡ０５経由、インターネット２００経由で、他のファクシミリ装置（たとえば、他の事業所Ｘのインターネットファクシミリ端末Ｘ０４）ファクシミリ通信手順を用いてファクシミリデータを受信することもできる。
【００１９】
いま、事業所Ａのインターネットファクシミリ端末Ａ０４から、サーバＣのワークステーションＣ０１に対して、ｐｉｎｇコマンドを実行すると、ＩＰパケットが、ルーターＡ０５を通過して、インターネット２００上の各種サーバを経由してサーバＣに届く。ＩＰパケットが、ＬＡＮ＿Ｃのどこに届くかは、ＬＡＮシステムがどのような構成を採用しているかに依存し、たとえばルータＣ０５に着信することもあるし、ワークステーションＣ０１に着信することもある。ここでは、ＬＡＮ＿ＣのワークステーションＣ０１にＩＰパケットが着信したものとする。
【００２０】
メールがワークステーションＣ０１に届くと、それまで通過してきたサーバ名や通過時間を記したパケットが、インターネットファクシミリ端末Ａ０４に返答として返される。返答が返されれば、送信元（ＬＡＮ＿Ａ）とインターネット間は正常に接続されていることになる。
【００２１】
もし、ワークステーションＣ０１から返答がない場合には、たとえばサーバＤに対してＰｉｎｇを実行するようにすれば、ＬＡＮ＿Ｃがダウンしているときにでも、ＬＡＮ＿Ｄから返答が帰ってくれば、送信元（ＬＡＮ＿Ａ）とインターネット２００との間は正常に接続されていることになる。
もし、送信元（ＬＡＮ＿Ａ）のルータＡ０５等に故障があれば、全ての特定サーバ（たとえば、ＬＡＮ＿Ｃ，ＬＡＮ＿Ｄ）からＰｉｎｇに対する返答が帰ってこない。その場合は、送信元（事業所Ａ）のネットワーク（ＬＡＮ＿Ａ）が異常ということになる。
【００２２】
ＰＩＮＧ（Ｐａｃｋｅｔ　Ｉｎｔｅｒｎｅｔ　Ｇｒｏｐｅｒ）は、ＴＣＰ／ＩＰネットワークにおいて、ＩＰパケットが通信先まで届いているかどうかや、ＩＰ的に到達可能かどうかを調べるために利用させるコマンド。ＩＣＭＰ（Ｉｎｔｅｒｎｅｔ　Ｃｏｎｔｒｏｌ　Ｍｅｓｓａｇｅ　Ｐｒｏｔｏｃｏｌ）のｅｃｈｏコマンドを使って実現されている。
【００２３】
ｐｉｎｇを実行してみて、返答が返ってくれば相手のノードは存在し、（少なくともＩＰ層レベルでの）ネットワークソフトウェアはアクティブになっていることが分かる。
【００２４】
図２は、インターネットファクシミリ端末Ａ０４，Ｂ０４，Ｃ０４，Ｄ０４の構成を示すブロック図である。ここでは、インターネットファクシミリ端末はＸ０４として示してある。
【００２５】
インターネットファクシミリ端末Ｘ０４は、ＣＰＵ１０１と、ＲＯＭ１０２と、ＲＡＭ１０３と、時計回路１０４と、スキャナ１０５と、プロッタ１０６と、操作表示部１０７と、符号化復号化部１０８と、網制御部１０９と、モデム１１０と、ＬＡＮ制御部１１１と、メール画情報蓄積部１１２と、特定サーバアドレス登録部１１３と、ｐｉｎｇコマンド発行部１１４と、返答判定部１１５とを備えている。これらはシステムバス１００を介して相互に接続されている。
【００２６】
ＣＰＵ１０１は、インターネットファクシミリ端末Ｘ＿０４の全体を制御する。ＲＯＭ１０２にはシステムプログラム等が格納されている。
ＲＡＭ１０３は、本実施形態では、図示しないがバッテリーバックアップされたＲＡＭと、ＤＲＡＭ等の不揮発性ＲＡＭ（ＣＰＵ１０１によるプログラム処理の作業領域等として使用される）からなる。
【００２７】
時計回路１０４は、ｐｉｎｇの発行時間、応答時間等の時間管理を行なう。
スキャナ１０５は、原稿画像を読み取り、読み取りデータを所定フォーマットに変換して、メール・画情報蓄積部１１２または図示しないハードディスク等に保存する。
プロッタ１０６は、印刷装置である。
【００２８】
操作表示部１０７は、キーボード、スイッチ等からなる操作部と、液晶ディスプレイ、発光ダイオード等からなる表示部とからなる。液晶ディスプレイには、「インターネット送信ＯＫ」，「インターネット送信ＮＧ」等のネットワーク状態を表示することができる。
符号化復号化部１０８は、ファクシミリ受信した圧縮データの伸張、メール・画情報蓄積部１１２に蓄積した画像の所定圧縮フォーマットへの変換（圧縮）等を行なう。
【００２９】
網制御部１０９とモデム１１０とは、公衆回線からファクシミリデータの受信をしあるいは公衆回線にファクシミリデータを送信することができる。
ＬＡＮ制御部１１１は、ＬＡＮ＿Ｘへのデータ（メールデータ等）送信、ＬＡＮ＿Ｘからのデータ受信等を行なうことができる。
【００３０】
メール・画情報蓄積部１１２は、たとえばＬＡＮ＿Ｘ経由、または公衆回線経由でファクシミリ受信したファイルを蓄積する他、受信メール（画情報を添付したメールを含む）を蓄積することができる。
【００３１】
特定サーバアドレス登録部１１３には、定期的にｐｉｎｇコマンドを発行するＬＡＮ＿Ｘ外のサーバアドレスがＩＰアドレスやドメイン名で登録される。
【００３２】
ｐｉｎｇコマンド発行部１１４は、ｐｉｎｇコマンドを実行する。なお、ｐｉｎｇコマンド発行部１１４は、ＣＰＵ１０１と、ＲＯＭ１０２等に格納されたｐｉｎｇコマンド発行プログラムにより実行することもできる。
【００３３】
返答判定部１１５は、所定時間内（時計回路１０４により計時される）にｐｉｎｇコマンドに対する返答パケットが帰ってきたかを監視することができる。
【００３４】
以下、図３のフローチャートに基づいて、図１，図２に示したインターネットファクシミリ端末の第１の動作例を説明する。ここでは、事業所Ａにおける（すなわち、ＬＡＮ＿Ａ内の）インターネットファクシミリ端末Ａ０４が、ｐｉｎｇを発行する場合を説明する。また、特性サーバアドレス登録部１１３には第１番目の特定サーバとして、ＬＡＮ＿ＣのワークステーションＣ０１が、第２番目の特定サーバとして、ＬＡＮ＿ＤのワークステーションＤ０１が登録されているものとする。
【００３５】
まず、一定時間をカウントするタイマー（時計手段１０４により実現される）をリセットし（Ｓ１０１）、タイマーをスタートする（Ｓ１０２）。このタイマースタートにより、一定時間ごとに（たとえば、数時間ごとに）以降の処理が実行される。
【００３６】
つぎに、一定時間が経過するまで待って（Ｓ１０３）、当該一定時間が経過したときは、特定サーバアドレス登録部の１番目に登録したサーバ（ここでは、ＬＡＮ＿ＣのワークステーションＣ０１）に対して、ｐｉｎｇコマンド発行部１１４からｐｉｎｇコマンドを実行する（Ｓ１０４）。
【００３７】
ここで、時計手段１０４により実現される他のタイマーで、ｐｉｎｇコマンドの送信先から返答時間を監視している（Ｓ１０５）。
返答判定部１１５が、一定時間内に返答パケットを受け取ったときは、インターネット２００経由のファクシミリ送信が可能であることを操作表示部１０７の液晶ディスプレイに表示する（Ｓ１０６）。返答判定部１１５が、一定時間内に返答パケットを受け取らないとき、すなわち前記他のタイマーの計時がタイムオーバーとなったときは（Ｓ１０７）、次に登録された特定サーバがあるか否かをチェックし（Ｓ１０８）、次に登録された特定サーバがないときは、送信不可（インターネット２００上のサーバへのアクセス不可）を表示する（Ｓ１０９）。この場合にはネットワーク（インターネット）異常であることが予想される。
【００３８】
Ｓ１０８において、次の特定サーバがあるときは、特定サーバアドレス登録部１１３の当該次のサーバ（ここでは、２番目のサーバであり、ＬＡＮ＿ＤのワークステーションＤ０１）に対して、ｐｉｎｇコマンド発行部１１４からｐｉｎｇコマンドを実行する（Ｓ１１０）。ここでも、所定時間内に返答があるか否かを監視する（Ｓ１１１）。ここでも、時計手段１０４により実現される他のタイマーで、ｐｉｎｇコマンドの送信先から返答時間を監視している。一定時間内に返答パケットを受け取ったときは、インターネット２００経由のファクシミリ送信が可能であることを操作表示部１０７の液晶ディスプレイに表示する（Ｓ１１２）。
【００３９】
返答がないためにタイムオーバとなったときは（Ｓ１１３）、処理をＳ１０８に戻し、Ｓ１０８以降の処理をくり返す。
つぎに、図４のフローチャートに基づいて、図１，図２に示したインターネットファクシミリ端末の第２の動作例を説明する。ここでは、事業所Ａにおける（すなわち、ＬＡＮ＿Ａ内の）インターネットファクシミリ端末Ａ０４が、ＬＡＮ＿ＣのワークステーションＣ０１に画像を送信する場合を説明する。また、特性サーバアドレス登録部１１３には第１番目の特定サーバとして、ＬＡＮ＿ＣのワークステーションＣ０１が、第２番目の特定サーバとして、ＬＡＮ＿ＤのワークステーションＤ０１が登録されているものとする。
【００４０】
ここでは、まずスキャナー１０５に原稿をセットして（Ｓ２０１）、操作表示部１１７のキーボード等から相手先アドレス（ＩＰアドレス等）を入力する（Ｓ２０２）。ここで、短縮に登録されている場合は短縮キーを入力する。そして、スタートキーを押下したら（Ｓ２０３）、１番目に登録した特定サーバ（ここでは、ＬＡＮ＿ＣのワークステーションＣ０１）に対して、ｐｉｎｇコマンド発行部１１４からｐｉｎｇコマンドを実行する（Ｓ２０４）。
【００４１】
時計手段１０４により実現されるタイマーで、ｐｉｎｇコマンドの送信先から返答時間を監視しており（Ｓ２０５）、返答判定部１１５が、設定した時間内に特定サーバ（ここではＬＡＮ＿ＣのワークステーションＣ０１）から応答があったことを検出したときは、原稿を読み取り、送信を行なう（Ｓ２０６）。
【００４２】
つぎに、返答判定部１１５が、一定時間内に返答パケットを受け取らないとき、すなわち前記他のタイマーの計時がタイムオーバーとなったときは（Ｓ２０７）、次に登録された特定サーバがあるか否かをチェックし（Ｓ２０８）、次に登録された特定サーバがないときは、送信不可（インターネット２００上のサーバへのアクセス不可）を表示する（Ｓ２０９）。この場合にはネットワーク（インターネット）異常であることが予想される。
Ｓ２０８において、次の特定サーバがあるときは、特定サーバアドレス登録部１１３の当該次のサーバ（ここでは、２番目のサーバであり、ＬＡＮ＿ＤのワークステーションＤ０１）に対して、ｐｉｎｇコマンド発行部１１４からｐｉｎｇコマンドを実行する（Ｓ２１０）。ここでも、所定時間内に返答があるか否かを監視する（Ｓ２１１）。ここでも、時計手段１０４により実現される他のタイマーで、ｐｉｎｇコマンドの送信先から返答時間を監視している。一定時間内に返答パケットを受け取ったときは、原稿を読み取り、送信を行なう（Ｓ２１２）。返答がないためにタイムオーバとなったときは（Ｓ２１３）、処理をＳ２０８に戻し、Ｓ２０８以降の処理をくり返す。
【００４３】
つぎに、図５のフローチャートに基づいて、図１，図２に示したインターネットファクシミリ端末の第３の動作例を説明する。ここでは、事業所Ａにおける（すなわち、ＬＡＮ＿Ａ内の）インターネットファクシミリ端末Ａ０４が、サーバＣにおけるワークワークステーションＣ０１に画像を送信する場合を説明する。
【００４４】
ここでは、まずスキャナー１０５に原稿をセットして（Ｓ３０１）、操作表示部１１７のキーボード等から相手先アドレス（ＩＰアドレス等）を入力する（Ｓ３０２）。ここで、短縮に登録されている場合は短縮キーを入力する。そして、スタートキーを押下したら（Ｓ３０３）、画像を送信する特定サーバ（ここでは、ＬＡＮ＿ＣのワークステーションＣ０１）に対して、ｐｉｎｇコマンド発行部１１４からｐｉｎｇコマンドを実行する（Ｓ３０４）。
【００４５】
時計手段１０４により実現されるタイマーで、ｐｉｎｇコマンドの送信先から返答時間を監視しており（Ｓ３０５）、返答判定部１１５が、設定した時間内に特定サーバ（ここではＬＡＮ＿ＣのワークステーションＣ０１）から応答があったことを検出したときは、原稿を読み取り、送信を行なう（Ｓ３０６）。
【００４６】
つぎに、返答判定部１１５が、一定時間内に返答パケットを受け取らないとき、すなわち前記他のタイマーの計時がタイムオーバーとなったときは（Ｓ３０７）、送信不可（インターネット２００上のサーバへのアクセス不可）を表示し（Ｓ３０８）、処理を終了する。
【００４７】
【発明の効果】
本発明では、インターネットファクシミリ装置から送信する前に、事前にネットワークが正常なのか、異常なのかが把握できるようにし、原稿を読み込ませて、送信操作をして始めてネットワークエラーだとわかるまでの無駄な時間を無くすことができる。
【００４８】
また、インターネットファクシミリ装置から送信する前に、事前にネットワークが正常なのか、異常なのかが把握できるようにし、原稿を読み込ませて、送信操作をして始めてネットワークエラーだとわかるまでの無駄な時間を無くすことができる。
【図面の簡単な説明】
【図１】本発明を実施するためのネットワークシステム構成図である。
【図２】インターネットファクシミリ端末の構成を示すブロック図である。
【図３】図１，図２に示したインターネットファクシミリ端末の第１の動作例の説明図である。
【図４】図１，図２に示したインターネットファクシミリ端末の第２の動作例の説明図である。
【図５】図１，図２に示したインターネットファクシミリ端末の第３の動作例の説明図である。
【符号の説明】
１０１　ＣＰＵ
１０２　ＲＯＭ
１０３　ＲＡＭ
１０４　時計回路
１０５　スキャナ
１０６　プロッタ
１０７　操作表示部
１０８　符号化復号化部
１０９　網制御部
１１０　モデム
１１１　ＬＡＮ制御部
１１２　メール画情報蓄積部
１１３　特定サーバアドレス登録部
１１４　ｐｉｎｇコマンド発行部
１１５　返答判定部
１００　システムバス
２００　インターネット
Ａ，Ｂ　事業所
Ｃ，Ｄ　サーバ
Ａ０１，Ｂ０１，Ｃ０１，Ｄ０１　ワークステーション（ＷＳ）
Ａ０２，Ｂ０２，Ｃ０２，Ｄ０２　パーソナルコンピュータ（ＰＣ）
Ａ０３，Ｂ０３，Ｃ０３，Ｄ０３　メールサーバ
Ａ０４、Ｂ０４　インターネットファクシミリ端末
Ａ０５，Ｂ０５，Ｃ０５，Ｄ０５　ルータ
【図１】
2004104308.tif 000003
【図２】
2004104308.tif 000004
【図３】
2004104308.tif 000005
【図４】
2004104308.tif 000006
【図５】
2004104308.tif 000007